(57)【要約】【課題】  収納性を高められるようにする。【解決手段】  車室内に設置された収納ボックス本体５の手前側の開口部６に対し、開口部６を開閉可能なリッド７と、開口部６からの物落ちを防止可能な縁部材８とを交換可能に取付け得るよう構成している。【選択図】        図７
2006082677.tif 000002
【特許請求の範囲】
【請求項１】
車室内に設置された収納ボックス本体の手前側の開口部に対し、該開口部を開閉可能なリッドと、前記開口部からの物落ちを防止可能な縁部材とを交換可能に取付け得るよう構成したことを特徴とする車両用収納装置。
【発明の詳細な説明】
【技術分野】
【０００１】
この発明は、車両用収納装置に関するものである。
【背景技術】
【０００２】
自動車などの車両には、通常、車室内の前部に車両用収納装置としてのグローブボックスが設けられている。このようなグローブボックスには、車室内に設置された箱状の収納ボックス本体の手前側の開口部に対し、リッド（蓋体）を開閉可能に取付けたものがある（例えば、特許文献１参照）。
【特許文献１】実公平７−１２１８４号公報
【発明の開示】
【発明が解決しようとする課題】
【０００３】
しかしながら、車両用収納装置としてのグローブボックスには、リッドが閉じる大きさの物しか収納できないという問題があった。
【課題を解決するための手段】
【０００４】
上記課題を解決するために、請求項１に記載された発明では、車室内に設置された収納ボックス本体の手前側の開口部に対し、該開口部を開閉可能なリッドと、前記開口部からの物落ちを防止可能な縁部材とを交換可能に取付け得るよう構成した車両用収納装置を特徴としている。
【発明の効果】
【０００５】
請求項１の発明によれば、車室内に設置された収納ボックス本体の手前側の開口部に対して、開口部を開閉可能なリッドを取付けることにより、通常のグローブボックスとして使用することができる。また、車室内に設置された収納ボックス本体の手前側の開口部に対して、開口部からの物落ちを防止可能な縁部材を取付けることにより、収納ポケットとして使用することができる。このように、リッドと縁部材とを交換して取付け得るようにすることにより、収容しようとする物に応じた収納形態を選択、変更することが可能となり、収納性を格段に高めることができる。
【発明を実施するための最良の形態】
【０００６】
収納性が高められるようにするという目的を、車室内に設置された収納ボックス本体の手前側の開口部に対し、開口部を開閉可能なリッドと、開口部からの物落ちを防止可能な縁部材とを交換可能に取付け得るよう構成する、という手段で実現した。
【実施例】
【０００７】
以下、本発明を具体化した実施例について、図示例と共に説明する。
【０００８】
図１〜図９は、この発明の実施例を示すものである。
【０００９】
まず、構成を説明すると、自動車などの車両では、車室内の前部に図１、図２に示すようなインストルメントパネル１が設けられている。そして、このインストルメントパネル１の助手席側の部分には、通常、グローブボックス２などの収納装置３が設けられている。
【００１０】
この実施例の収納装置３では、車室内に設置された箱状の収納ボックス本体５の手前側の開口部６に対し、この開口部６を開閉可能なリッド７と、開口部６からの物落ちを防止可能な縁部材８（図７参照）とを交換可能に取付け得るよう構成する。これにより、収納装置３を、グローブボックス２（図１〜図６）から収納ポケット９（図７〜図９）へ、或いは反対に、収納ポケット９からグローブボックス２へと変形可能とする。
【００１１】
より具体的には、グローブボックス２は、図１〜図６に示すようなものとする。即ち、収納ボックス本体５は、例えば、図２に示すように、インストルメントパネル１と一体に形成する。このように、収納ボックス本体５をインストルメントパネル１と一体形成することにより、部品コスト、組立コストを削減し、且つ、強度を向上することができる。なお、収納ボックス本体５は、インストルメントパネル１と別体とすることも可能である。収納ボックス本体５手前側の開口部６の周囲には、図３、図４に示すように、リッド７をインストルメントパネル１と面一に収容し得るようにするための段差状の収容凹部１１が形成される。そして、収容凹部１１の下辺部１１ａには、ヒンジ取付穴１２が形成され、このヒンジ取付穴１２には、水平なヒンジ軸１３が設定される。このヒンジ取付穴１２およびヒンジ軸１３は、下辺部１１ａの両端部や中間部に適宜設定される。なお、ヒンジ取付穴１２およびヒンジ軸１３は、それぞれ、中間部をリブ１４にて仕切られることにより補強されている。収容凹部１１の下辺部１１ａには、インストルメントパネル１の取付点１ａも設定されている。また、収容凹部１１の両側辺部１１ｂには、上部にロック穴１５が設けられ、中間部にストッパレバー収容穴１６が設けられている。なお、ロック穴１５には、摩耗・損傷防止のためのグロメット１７が挿着、或いは、インサート成形されている。
【００１２】
一方、リッド７は、図５に示すように、下辺部７ａに、ヒンジ取付穴１２へ挿入してヒンジ軸１３に回動自在に嵌着可能なヒンジアーム２１を備えている。このヒンジアーム２１の先端は、テーパ状の呼込部２１ａと軸受部２１ｂとを有する二又状に形成されている。呼込部２１ａは、先端がヒンジ軸１３の直径よりも広幅に、後端がヒンジ軸１３の直径よりも狭幅に設定されている。また、リッド７の上部には、図２、図６に示すように、ロック穴１５へ係合・解除可能なロックレバー２５を有するロック機構２６が設けられている。このロック機構２６は、操作レバー２７と、この操作レバー２７の操作によってロックレバー２５をリッド７の両側辺部７ｂから横方向へ出入りさせるようにした出入機構部２８とを有するサイドロックとされている。更に、リッド７の両側辺部７ｂの中間部には、図１、図２に示すように、ストッパレバー収容穴１６へ挿入可能なストッパレバー３１が設けられている。このストッパレバー３１は、ヒンジ軸１３を中心とする円弧状を呈している。ストッパレバー３１の先端部は、ストッパレバー収容穴１６に対し、変形させることにより挿入・引抜可能であると共に、非変形状態では引抜不能となる係止部３１ａを有する先割れ形状を呈している。また、リッド７の裏面には、小ポケット部３２が設けられている。
【００１３】
これに対し、収納ポケット９は、図７〜図９に示すようなものとする。即ち、収納ポケット９は、上記した収納ボックス本体５と縁部材８とからなり、縁部材８は、収納ボックス本体５の収容凹部１１の下辺部１１ａと両側辺部１１ｂに沿って延びる上向きコ字状を呈している。この縁部材８の下辺部８ａには、ヒンジ取付穴１２に引掛状態で係止可能な引掛爪３５が適宜設けられている。また、縁部材８の両側辺部８ｂの中間部には、ストッパレバー収容穴１６へ挿入してワンタッチで固定可能な固定用爪部３６が設けられている。この固定用爪部３６は、ストッパレバー収容穴１６に対し、変形させることにより挿入・引抜可能であると共に、非変形状態では引抜不能となる係止部を有する先割れ形状を呈している。また、縁部材８の両側辺部８ｂによってロック穴１５を隠し得るよう構成されている。
【００１４】
次に、この実施例の作用について説明する。
【００１５】
この実施例によれば、車室内に設置された収納ボックス本体５の手前側の開口部６に対して、この開口部６を開閉可能なリッド７を取付けることにより、通常のグローブボックス２として使用することができる。また、車室内に設置された収納ボックス本体５の手前側の開口部６に対して、開口部６からの物落ちを防止可能な縁部材８を取付けることにより、収納ポケット９として使用することができる。このように、リッド７と縁部材８とを交換して取付け得るようにすることにより、収容しようとする物に応じた収納形態を選択、変更することが可能となり、収納性能を向上することができる。
【００１６】
例えば、開口部６にリッド７を取付けてグローブボックス２とした場合には、車検証などのように出し入れを頻繁に行わないような物などを収蔵するのに適した形態となる。当然、通常のグローブボックス２としての使用も可能である。
【００１７】
反対に、開口部６に縁部材８を取付けて収納ポケット９とした場合には、リッド７の開閉の手間が不要となるので、気軽に出し入れする物を収納するのに適した形態となる。また、開口部６から多少はみ出しても安定して入れておけるような物などを収納することもできる。例えば、小型のノートパソコンなどを収納することも可能となる。
【００１８】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。
【図面の簡単な説明】
【００１９】
【図１】本発明の実施例にかかるグローブボックスとした場合の斜視図である。
【図２】図１をＡ−Ａ線に沿って見た側方断面図である。
【図３】収納ボックス本体の正面図である。
【図４】収納ボックス本体の開口部周辺の部分拡大斜視図である。
【図５】グローブボックスのヒンジ部分の拡大側方断面図である。
【図６】グローブボックスのロック機構部分の拡大水平断面図である。
【図７】本発明の実施例にかかる収納ポケットとした場合の斜視図である。
【図８】縁部材を正面側から見た斜視図である。
【図９】縁部材を背面側から見た斜視図である。
【符号の説明】
【００２０】
５    収納ボックス本体
６    開口部
７    リッド
８    縁部材
【図１】
2006082677.tif 000003
【図２】
2006082677.tif 000004
【図３】
2006082677.tif 000005
【図４】
2006082677.tif 000006
【図５】
2006082677.tif 000007
【図６】
2006082677.tif 000008
【図７】
2006082677.tif 000009
【図８】
2006082677.tif 000010
【図９】
2006082677.tif 000011